【手続補正書】
【提出日】平成16年3月9日(2004.3.9)
【手続補正１】
【補正対象書類名】特許請求の範囲
【補正対象項目名】全文
【補正方法】変更
【補正の内容】
【特許請求の範囲】
【請求項１】
無線周波数（ＲＦ）呼掛け信号を提供するように動作可能であり、トランスポンダシステムにパワー供給し、トランスポンダシステムＲＦ信号を受信し、該ＲＦＩＤリーダ識別を認証する際に利用するために暗号化信号を該トランスポンダシステムに提供し、かつ該トランスポンダシステムＲＦ信号に関連するトランスポンダアカウントデータを商取引システムに対して通信するための無線周波数識別（ＲＦＩＤ）リーダであって、
ａ．第１ＲＦ呼掛け信号を提供するための第１呼掛け器と、
ｂ．該呼掛け器と通信するＲＦＩＤ認証回路と、
ｃ．該ＲＦＩＤ認証回路と通信するＲＦＩＤデータベースであって、該データベースは、ＲＦＩＤリーダ識別データ、トランスポンダシステム復号化セキュリティキー、ＲＦＩＤリーダ暗号化セキュリティキー、およびトランスポンダ認証キーの少なくとも１つを格納するように動作可能である、ＲＦＩＤデータベースと、
ｄ．該第１呼掛け器、該ＲＦＩＤ認証回路、該ＲＦＩＤデータベース、およびリーダＵＳＢインターフェースのうちの少なくとも１つと通信するＲＦＩＤプロトコル／シーケンスコントローラであって、該呼掛け器、該ＲＦＩＤ認証回路、該ＲＦＩＤデータベース、および該リーダＵＳＢインターフェースの動作の順序の制御を容易にするように構成された、ＲＦＩＤプロトコル／シーケンスコントローラと
を含むＲＦＩＤリーダを含む、
トランスポンダ−リーダ支払いシステム。
【請求項２】
前記第１ＲＦ呼掛け信号を受信し、該第１ＲＦ呼掛け信号を認証し、かつ前記トランスポンダシステムアカウントデータを送信するように動作可能なトランスポンダシステムであって、
ａ．該ＲＦ呼掛け信号に応答可能な第１トランスポンダと、
ｂ．該第１ＲＦ呼掛け信号を受信するように構成された第１トランスポンダシステムアンテナと、
ｃ．第２ＲＦ呼掛け信号に応答可能な第２トランスポンダであって、該第１ＲＦ呼掛け信号は該第２ＲＦ呼掛け信号と異なる、第２トランスポンダと、
ｄ．該第２のＲＦ呼掛けシステムを受信するように構成された第２トランスポンダシステムアンテナと、
ｅ．該第１トランスポンダおよび該第２トランスポンダのうちの少なくとも１つと通信するトランスポンダシステム認証回路と、
ｆ．該トランスポンダシステム認証回路と通信するトランスポンダシステムデータベースと
を含むトランスポンダシステムをさらに含む、請求項１に記載のシステム。
【請求項３】
前記トランスポンダシステムは、
トランスポンダシステムＵＳＢインターフェースと、
前記第１トランスポンダ、前記第２トランスポンダ、前記トランスポンダシステムＵＳＢインターフェース、前記トランスポンダシステム認証回路、および前記トランスポンダシステムデータベースのうちの少なくとも１つと通信するトランスポンダシステムプロトコル／シーケンスコントローラであって、該トランスポンダシステムプロトコル／シーケンスコントローラは、該第１トランスポンダ、該第２トランスポンダ、該トランスポンダシステム認証回路、トランスポンダシステムデータベース、および該トランスポンダシステムＵＳＢインターフェースの動作の順序を制御するように構成され、該トランスポンダシステムプロトコル／シーケンスコントローラは、該第１ＲＦ呼掛け信号および該第２ＲＦ呼掛け信号の少なくとも１つに応答可能であり、該第１ＲＦ呼掛け信号および該第２ＲＦ呼掛け信号の少なくも１つに応答して、該トンランポンダプロトコル／シーケンスコントローラは、該トランスポンダシステム認証回路、該トランスポンダシステムデータベース、および該トランスポンダシステムＵＳＢインターフェースの少なくとも１つの動作のシーケンスを制御する、トランスポンダシステムプロトコル／シーケンスコントローラと
をさらに含む、請求項２に記載のシステム。
【請求項４】
前記ＲＦＩＤリーダは、
前記第１呼掛け信号とは異なる第２ＲＦ呼掛け信号を送信するように動作可能な第２呼掛け器と、
商取引システムと通信するように構成されたＲＦＩＤ通信インターフェースであって、前記トランスポンダシステムアカウントデータを提供するように動作可能である、ＲＦＩＤ通信インターフェースと
をさらに含む、請求項１に記載のシステム。
【請求項５】
前記ＲＦＩＤリーダは、前記第１呼掛け器と通信する第１アンテナと、前記第２呼掛け器と通信する第２アンテナとをさらに含み、ここで該第１アンテナは前記第１ＲＦ呼掛け信号を前記第１トランスポンダに提供するように動作可能であり、かつ該第２呼掛け器は前記第２ＲＦ呼掛け信号を前記第２トランスポンダに提供するように動作可能である、請求項４に記載のシステム。
【請求項６】
前記ＲＦＩＤデータベースは、トランスポンダシステム個人識別番号（ＰＩＮ）を格納するように動作可能である、請求項１に記載のシステム。
【請求項７】
前記トランスポンダシステムプロトコル／シーケンスコントローラは、前記第１ＲＦ呼掛け信号に応答して前記トランスポンダシステム認証回路をアクティブにするように構成され、該トランスポンダシステム認証回路は暗号化ＲＦ呼掛け信号を提供するように構成され、該トランスポンダシステム認証回路は、該暗号化ＲＦ呼掛け信号を、前記ＲＦＩＤリーダに提供するための前記第１トランスポンダに提供するように構成される、請求項３に記載のシステム。
【請求項８】
前記ＲＦＩＤリーダは、前記暗号化ＲＦ呼掛け信号を受信するように構成され、前記トランスポンダシステムプロトコル／シーケンスコントローラは、該暗号化ＲＦ呼掛け信号に応答して前記トランスポンダシステム認証回路をアクティブにする、請求項７に記載のシステム。
【請求項９】
前記ＲＦＩＤデータベースは、前記暗号化ＲＦ呼掛け信号に応答して、トランスポンダシステム復号化キーを前記ＲＦＩＤ認証回路に提供するように構成され、該ＲＦ呼掛け信号を復号化するために使用される該トランスポンダシステム復号化キーは、復号化ＲＦ呼掛け信号を提供し、該トランスポンダシステム復号化キーは個別のトランスポンダ識別コードに基づいて前記ＲＦＩＤリーダに提供される、請求項８に記載のシステム。
【請求項１０】
前記ＲＦＩＤ認証回路は、前記復号化されたＲＦ呼掛け信号および前記ＲＦ呼掛け信号を比較して一致が存在するかどうかを決定するように構成され、前記ＲＦＩＤプロトコル／シーケンスコントローラは、ＵＳＢインターフェースおよび前記ＲＦＩＤ通信インターフェースのうちの少なくとも１つをアクティブにするように構成され、ここで前記ＲＦＩＤ認証回路は前記復号化されたＲＦ呼掛け信号および前記ＲＦ呼掛け信号のマッチングを行なう、請求項９に記載のシステム。
【請求項１１】
前記トランスポンダシステムプロトコル／シーケンスコントローラは、前記第１ＲＦ呼掛け信号および前記第２ＲＦ呼掛け信号のうちの少なくとも１つに応答して、前記トランスポンダシステム認証回路をアクティブにし、前記トランスポンダシステム認証回路は、トランスポンダ認証コードを、前記ＲＦＩＤリーダに提供するための前記第１トランスポンダおよび前記第２トランスポンダのうちの少なくとも１つに提供するように構成される、請求項１０に記載のシステム。
【請求項１２】
前記ＲＦＩＤリーダは前記トランスポンダ認証コードを受信するように構成され、前記ＲＦＩＤプロトコル／シーケンスコントローラは前記トランスポンダ認証コードに応答して前記ＲＦＩＤ認証回路をアクティブにし、該ＲＦＩＤ認証回路は該トランスポンダ認証コードを暗号化し、前記暗号化認証コードを前記トランスポンダシステムに提供するように構成される、請求項１１に記載のシステム。
【請求項１３】
前記トランスポンダシステムデータベースは、トランスポンダシステム識別データ、ＲＦＩＤリーダ復号化セキュリティキー、およびトランスポンダシステムアカウントデータのうちの少なくとも１つを格納するように動作可能である、請求項１２に記載のシステム。
【請求項１４】
前記トランスポンダシステムデータベースは、前記暗号化認証コードに応答して前記ＲＦＩＤリーダ復号化セキュリティキーを前記トランスポンダシステム認証回路に提供するように構成され、該ＲＦＩＤリーダ復号化キーは該暗号化トランスポンダ認証コードを復号化する際に使用され、復号化されたトランスポンダ認証コードを提供する、請求項１３に記載のシステム。
【請求項１５】
前記トランスポンダシステム認証回路は、前記復号化されたトランスポンダ認証コードおよび前記トランスポンダ認証コードを比較して一致が存在するかどうかを決定するように構成される、請求項１４に記載のシステム。
【請求項１６】
前記アカウントデータは磁気ストライプフォーマットである、請求項１５に記載のシステム。
【請求項１７】
前記トランスポンダシステムトランザクションアカウントデータは予め暗号化され、前記トランスポンダシステムデータベースは、前記予め暗号化されたトランスポンダシステムアカウントデータを前記ＲＦＩＤリーダに提供するように構成され、ここで前記トランスポンダシステム認証回路は前記復号化されたトランスポンダ認証コードおよび前記トランスポンダ認証コードのマッチングを行なう、請求項１６に記載のシステム。
【請求項１８】
前記ＲＦＩＤ通信インターフェースは、前記トランスポンダシステムＰＩＮおよび前記予め暗号化されたトランスポンダシステムアカウントデータを提供するように構成され、ここで前記トランスポンダ認証コードは前記復号化されたトランスポンダ認証コードに一致し、かつ前記ＲＦ呼掛け信号は前記ＲＦ呼掛け信号に一致する、請求項１７に記載のシステム。
【請求項１９】
前記トランスポンダシステムはスイッチをさらに含み、該スイッチは該トランスポンダシステムの動作をイネーブルまたはディセーブルするように動作可能である、請求項１８に記載のシステム。
【請求項２０】
前記スイッチは、選択モードおよび包含モードのうちの少なくとも１つに前記トランスポンダシステムを設定するように構成される、請求項１９に記載のシステム。
【請求項２１】
前記スイッチは機械的なスイッチの１つであり、スイッチは論理回路に応答するように構成される、請求項１９に記載のシステム。
【請求項２２】
前記トランスポンダシステムは内部電源をさらに含む、請求項２に記載のシステム。
【請求項２３】
前記スイッチは前記内部電源と通信し、該スイッチは該内部電源に応答可能である、請求項２２に記載のシステム。
【請求項２４】
前記トランスポンダシステムはバイオメトリック回路をさらに含み、該バイオメトリック回路は前記内部電源と通信する、請求項２２に記載のシステム。
【請求項２５】
前記スイッチはバイオメトリック回路であり、該バイオメトリック回路は前記トランスポンダシステムの動作をイネーブルまたはディセーブルするように動作可能である、請求項２１に記載のシステム。
【請求項２６】
前記バイオメトリック回路は、選択モードおよび包含モードのうちの１つに前記トランスポンダシステムを設定するように構成される、請求項２５に記載のシステム。
【請求項２７】
前記ＲＦＩＤリーダはＲＦＩＤ  ＰＩＮキーパッドを含み、該ＲＦＩＤ  ＰＩＮキーパッドは前記トランスポンダＰＩＮを受信するように構成され、該ＲＦＩＤリーダは該トランスポンダＰＩＮを該受信されたトランスポンダＰＩＮと比較するように構成され、該ＲＦＩＤリーダは該受信されたトランスポンダＰＩＮ、該トランスポンダＰＩＮ、または該受信されたトランスポンダＰＩＮの検証うちの少なくとも１つを提供するように動作可能であり、受信されたトランスポンダＰＩＮの検証が提供され、ここで該ＲＦＩＤリーダは該トランスポンダＰＩＮと該受信されたトランスポンダＰＩＮとのマッチングを行ない、前記ＲＦＩＤリーダは、前記トランスポンダＰＩＮを、該トランスポンダＰＩＮの検証のための支払い認証センタに提供するように構成される、請求項７に記載のシステム。
【請求項２８】
前記商取引システムは商取引システムＰＩＮキーパッドを含み、該商取引システムＰＩＮキーパッドは前記トランスポンダＰＩＮを該商取引システムＰＩＮキーパッドから受信するように構成され、該商取引システムは該トランスポンダＰＩＮを検証のための前記支払い認証センタに提供するように構成される、請求項２７に記載のシステム。
【請求項２９】
前記バイオメトリック回路はバイオメトリックデータ検証応答を提供するように構成され、該バイオメトリック回路は該バイオメトリックデータ検証応答を前記ＲＦＩＤリーダおよび前記商取引システムのうちの少なくとも１つに提供するように構成され、ここで該バイオメトリックデータ検証応答は識別検証データである、請求項２４に記載のシステム。
【請求項３０】
前記トランスポンダシステムおよび前記ＲＦＩＤリーダのうちの少なくとも１つをトランスポンダ−リーダ支払いシステムパラメータに初期化するように動作可能なパーソナリゼーションシステムをさらに含み、該パーソナリゼーションシステムは、該ＲＦＩＤリーダと通信する、請求項３に記載のシステム。
【請求項３１】
前記パーソナリゼーションシステムは、ＵＳＢ接続およびＲＦ通信のうちの少なくとも１つを使用して前記トランスポンダシステムと通信する、請求項３０に記載のシステム。
【請求項３２】
前記パーソナリゼーションシステムは、前記ＲＦＩＤリーダ識別データ、トランスポンダシステム復号化セキュリティキー、ＲＦＩＤ暗号化セキュリティキー、およびトランスポンダＰＩＮのうちの少なくとも１つを前記ＲＦＩＤデータベース上に設置するように動作可能である、請求項３１に記載のシステム。
【請求項３３】
前記パーソナリゼーションシステムは、前記トランスポンダシステム識別データ、ＲＦＩＤリーダ復号化セキュリティキー、トランスポンダ暗号化認証セキュリティキー、トランスポンダシステムトランザクションアカウントデータ、およびトランスポンダシステム認証セキュリティキーの少なくとも１つを前記トランスポンダシステムデータベース上に設置するように動作可能である、請求項３１に記載のシステム。
【請求項３４】
前記ＲＦＩＤリーダは前記トランスポンダを初期化するように動作可能である、請求項２に記載のシステム。
【請求項３５】
前記ＲＦＩＤリーダは前記トランスポンダシステムとＲＦ通信し、該ＲＦＩＤリーダは前記トランスポンダシステム識別データ、ＲＦＩＤリーダ復号化セキュリティキー、トランスポンダシステムトランザクションアカウントデータのうちの少なくとも１つを前記トランスポンダシステムデータベース上に設置するように動作可能である、請求項２に記載のシステム。
【請求項３６】
第１ＲＦ呼掛け信号を受信し、かつ該第１ＲＦ呼掛け信号を認証するように動作可能なトランスポンダシステムを含むトランスポンダ−リーダ支払いシステムであって、該トランスポンダシステムは、
該第１ＲＦ呼掛け信号に応答可能である第１トランスポンダと、
第２ＲＦ呼掛け信号に応答可能である第２トランスポンダであって、該第１ＲＦ呼掛け信号は該第２ＲＦ呼掛け信号と異なる、第２トランスポンダと、
該第１ＲＦ呼掛け信号を受信するように構成された第１トランスポンダシステムアンテナと、
該第２ＲＦ呼掛け信号を受信するように構成された第２トランスポンダシステムアンテナと
を含む、
トランスポンダ−リーダ支払いシステム。
【請求項３７】
前記トランスポンダシステムは、トランスポンダシステムＵＳＢインターフェイス、トランスポンダシステム認証回路、およびトランスポンダシステムシリアルインターフェイスの少なくとも１つをさらに含む、請求項３６に記載のシステム。
【請求項３８】
ａ．ＲＦ呼掛け信号を提供するように動作可能であり、トランスポンダシステムにパワー供給し、トランスポンダシステムＲＦ信号を受信し、かつ該トランスポンダシステムＲＦ信号に関連するトランスポンダアカウントデータを商取引システムに対して通信するためのＲＦＩＤリーダであって、該ＲＦＩＤリーダは、
ｉ．第１ＲＦ呼掛け信号を提供するための第１呼掛け器と通信する第１ＲＦＩＤリーダアンテナと、
ｉｉ．第２ＲＦ呼掛け信号を提供するための第２呼掛け器と通信する第２ＲＦＩＤリーダアンテナと
を含む、ＲＦＩＤリーダと、
ｂ．該第１および第２ＲＦ呼掛け信号の少なくとも１つを受信し、該受信された呼掛け信号を認証し、かつトランスポンダシステムアカウントデータを送信するように動作可能なトランスポンダシステムであって、該トランスポンダシステムは、
ｉ．第１トランスポンダシステムと通信する第１トランスポンダアンテナであって、該第１トランスポンダは、該第１ＲＦ呼掛け信号と応答する、第１トランスポンダアンテナと、
ｉｉ．第２トランスポンダと通信する第２トランスポンダアンテナであって、該第２トランスポンダは、該第２ＲＦ呼掛け信号と応答する、第２トランスポンダアンテナと
を含む、トランスポンダシステムと
を含む、トランスポンダ−リーダ支払いシステム。
【請求項３９】
前記ＲＦＩＤリーダは、ＲＦＩＤリーダ認証回路、ＲＦＩＤリーダシリアルインターフェイス、およびＲＦリーダＵＳＢインターフェースの少なくとも１つを含み、該トランスポンダシステムは、トランスポンダシステムＵＳＢインターフェース、トランスポンダシステム認証回路、およびトランスポンダシステムシリアルインターフェースの少なくとも１つを含む、請求項３８に記載のシステム。
【請求項４０】
トランスポンダシステムを提供するステップであって、該トランスポンダシステムは複数の呼掛け信号に応答可能であり、該トランスポンダシステムはアカウントデータ、アカウント名、およびアカウント期限日のうちの少なくとも１つを格納し、該トランスポンダシステムは、第１呼掛け信号に応答する第１トランスポンダおよび第２呼掛け信号に応答する第２にトランスポンダの少なくとも１つを含む、ステップと、
ＲＦＩＤリーダを提供するステップであって、該リーダは該呼掛け信号の少なくとも１つを提供するように構成される、ステップと
を含む、トランスポンダ−リーダ支払いの方法。
【請求項４１】
前記トランスポンダシステムアカウントデータを暗号化するステップと、
前記トランスポンダシステムを初期化するステップと、
前記ＲＦＩＤリーダを初期化するステップと、
該ＲＦＩＤリーダおよび該トランスポンダシステムを相互認証するステップと、
該暗号化アカウントデータを該トランスポンダシステムから該ＲＦＩＤリーダに提供するステップと、
該暗号化アカウントデータを復号化するステップと、
該復号化されたアカウントデータを商取引システムに提供するステップと
をさらに含む、請求項４０に記載の方法。
【請求項４２】
相互認証ステップは、前記ＲＦＩＤリーダが前記トランスポンダシステムを認証するステップ、および該トランスポンダシステムが該ＲＦＩＤリーダを認証するステップを含む、請求項４１に記載の方法。
【請求項４３】
相互認証ステップは、
呼掛け信号を前記ＲＦＩＤリーダから前記トランスポンダシステムに提供するステップと、
該呼掛け信号を該トランスポンダシステムにおいて暗号化して暗号化認証呼掛け信号を形成するステップと、
該暗号化認証呼掛け信号を該ＲＦＩＤリーダに提供するステップと、
該暗号化認証呼掛け信号を該ＲＦＩＤリーダにおいて復号化するステップであって、該復号化するステップはトランスポンダシステム復号化セキュリティキーを使用するステップを含む、ステップと、
該呼掛け信号と該復号化された呼掛け信号とのマッチングを行うステップと、
認証コードを該トランスポンダシステムから該ＲＦＩＤリーダに提供するステップと、
該認証コードを該ＲＦＩＤリーダにおいて暗号化して暗号化認証コードを形成するステップと、
該暗号化認証コードを該トランスポンダシステムに提供するステップと、
該暗号化認証コードを該トランスポンダシステムにおいて復号化するステップであって、該復号化するステップはＲＦＩＤリーダ復号化セキュリティキーを使用するステップを含む、ステップと、
該認証コードと該復号化された認証コードとのマッチングを行なうステップと
を含む、請求項４２に記載の方法。
【請求項４４】
前記トランスポンダシステムの初期化ステップは、トランスポンダシステム識別データ、ＲＦＩＤリーダ復号化セキュリティキー、トランスポンダシステムトランザクションデータ、および暗号化トランスポンダＰＩＮの少なくとも１つをトランスポンダシステムデータベース上に設置するステップを含む、請求項４１に記載の方法。
【請求項４５】
前記ＲＦＩＤリーダを初期化するステップは、トランスポンダシステム識別データ、ＲＦＩＤリーダ復号化セキュリティキー、トランスポンダシステムトランザクションデータ、および暗号化トランスポンダＰＩＮの少なくとも１つをトランスポンダシステムデータベース上に設置するステップを含む、請求項４１に記載の方法。
【請求項４６】
前記ＲＦＩＤリーダを初期化するステップは、ＲＦＩＤリーダ識別データ、トランスポンダシステム復号化セキュリティキー、ＲＦＩＤ暗号化セキュリティキー、およびトランスポンダＰＩＮのうちの少なくとも１つをＵＳＢインターフェースを使用してＲＦＩＤデータベース上に設置するステップを含む、請求項４１に記載の方法。
【請求項４７】
前記トランスポンダシステムの初期化ステップは、トランスポンダシステム識別データ、ＲＦＩＤリーダ復号化セキュリティキー、およびトランスポンダシステムトランザクションデータのうちの少なくとも１つをＵＳＢインターフェースを使用して設置するステップを含む、請求項４１に記載の方法。
【請求項４８】
前記トランスポンダシステムを初期化するステップは、ＲＦＩＤリーダを使用して該トランスポンダシステムを初期化するステップを含む、請求項４１に記載の方法。
【請求項４９】
スイッチを使用して前記トランスポンダをイネーブルするステップを含み、該スイッチは、機械的スイッチ、論理スイッチ、およびバイオメトリックスイッチのうちの少なくとも１つからなる、請求項４３に記載の方法。
【請求項５０】
商取引システムからのリクエストに応答して２次識別を提供するステップを含む、請求項４３に記載の方法。
【請求項５１】
前記トランスポンダシステムアカウントデータの少なくとも一部分は、トラック１／トラック２フォーマットで前記トランスポンダシステムデータベースに格納される、請求項２に記載のシステム。
【請求項５２】
前記トラック１／トラック２フォーマットデータは、送信される、請求項１に記載のシステム。
【請求項５３】
前記トランスポンダシステム暗号化アカウントデータからの前記暗号化アカウントデータを提供するステップは、トラック１／トラック２フォーマットでトランスポンダシステムデータベースに格納される、請求項４１に記載の方法。
【請求項５４】
前記トランスポンダシステムアカウントデータの少なくとも一部分は、トラック１／トラック２フォーマットでトランスポンダシステムデータベースに格納される、請求項３８に記載のシステム。
【請求項５５】
前記トラック１／トラック２フォーマットデータは、送信される、請求項５４に記載のシステム。